(57)【要約】【課題】本発明は、残存型枠の段積の際に、残存型枠の四隅に形成した面取り部あるいは周辺に形成した切り欠溝部等が集って生じる隙間穴に着目し、この隙間穴を利用して段積した残存型枠を２枚の挟持板と１本のネジ棒及び締付具とで接続固定でき、接続が簡単で作業性がよく、且つ安価に行える残存型枠の枠組における接続金具を提供することを目的とする。【解決手段】２枚の表用挟持板（１）及び裏用挟持板（２）と、前記表用挟持板（１）に対し、先端を下方に向け傾斜して取付けるネジ棒（３）と、該ネジ棒（３）と螺合可能なネジ穴（４ｂ）を有する締付具（４）とから成り、且つ、前記裏用挟持板（２）には、その中央に逃げ穴（２ａ）を少なくとも穿設する。【選択図】　　　　図１
2004011109.tif 000002
【特許請求の範囲】
【請求項１】
２枚の表用挟持板（１）及び裏用挟持板（２）と、前記表用挟持板（１）に対し、先端を下方に向け傾斜して取付けるネジ棒（３）と、該ネジ棒（３）と螺合可能なネジ穴（４ｂ）を有する締付具（４）とから成り、且つ、前記裏用挟持板（２）には、その中央に逃げ穴（２ａ）を少なくとも穿設したことを特徴とする残存型枠の枠組における接続金具。
【請求項２】
前記表用挟持板（１）の中央に前記ネジ棒（３）と螺合可能なネジ穴（１ａ）を設け、且つ該ネジ穴（１ａ）が下方に向け傾斜させた請求項１記載の残存型枠の枠組における接続金具。
【請求項３】
前記表用挟持板（１）の下部に小突起（１ｂ）と、前記裏用挟持板（２）の下部に大突起（２ｂ）をそれぞれ形成した請求項１又は２記載の残存型枠の枠組における接続金具。
【請求項４】
前記締付具（４）が、ナットである請求項１又は２記載の残存型枠の枠組における接続金具。
【請求項５】
前記締付具（４）が、円盤であり、その中央部を湾曲に盛り上げて湾曲部（４ａ）に形成し、該湾曲部（４ａ）には、その中心に前記ネジ穴（４ｂ）を設け、周面に穴部（４ｃ）を複数穿設した請求項１、２又は３記載の残存型枠の枠組における接続金具。
【発明の詳細な説明】
【０００１】
【発明の属する技術分野】
本発明は、コンクリート製の擁壁，砂防ダム，橋脚等の構造物を施工する際に、型枠として使用するコンクリート製パネルである残存型枠の枠組における接続金具に関する。
【０００２】
【従来の技術】
近年、コンクリート製の構造物、例えば擁壁，砂防ダム，橋脚等を施工する場合に、その施工の容易さ、仕上の良さ及び環境との調和等から、コンクリート製パネルの残存型枠が使用されている。この残存型枠は、型枠として枠組し、打設した生コンクリートが固化した後にコンクリートの表面に固着しそのまま残存するものであって、その型枠を外す必要もなく、コンクリート構造物が施工できるものである。そしてコンクリート構造物の見えない裏側あるいは埋め戻しをする箇所に使用される残存型枠においては、その表面に石風の化粧を施す必要がなく、又、裏面から突出する型鋼やワイヤー等もないのが一般的である。このような残存型枠は、打設コンクリートとの食い付きを良くするために、多数の貫通穴あるいは裏面側に穴溝等を形成させたものである。この手の残存型枠を枠組する際には、特開２０００−１０４２６６号のように貫通穴を利用した段積用連結具によって残存型枠を接続する方法が行われている。この方法につき説明すると、つまり、貫通穴を多数有したコンクリート系でプレート状の型枠部材と、貫通穴に対応する穴を四隅に穿設させ更に中央部が凸状に湾曲され且つ少なくともその凸状部分の周面に穴部を複数穿設した板状の押えプレートと、貫通穴に対応するネジ穴が４箇所あるいは中央にもネジ穴が設けられた板状の平プレートと、ボルトとから成る段積用連結具を用意しておき、先ず始めに、予め設置した型枠部材の上部の外側に平プレートを配置すると共に型枠部材の内側に押えプレーを配置させ、且つ押えプレートをセパレーターなどの端部で支持すると共に型枠部材の内側からボルトを挿入しネジ穴に螺合させて押えプレートと平プレートの下部で型枠部材を挟持し、その後、型枠部材の上で且つ押えプレートと平プレートの間に新たな型枠部材を載置すると共に該型枠部材の内側からボルトを挿入しネジ穴に螺合させて押えプレートと平プレートの上部で新たな型枠部材を挟持して固定する方法である。
【０００３】
【発明が解決しようとする課題】
しかしながら、従来の残存型枠の接続方法では、押えプレートと平プレートとの四隅に取付けた４本のボルトが必要となり、又、このボルトを締付ける作業もしなければならない。従って、連結具の部品点数が多く連結具がコスト高となると共に、作業性の面でも時間を要し、作業効率の妨げとなる問題点を有していた。
【０００４】
本発明は、残存型枠の段積の際に、残存型枠の四隅に形成した面取り部あるいは周辺に形成した切り欠溝部等が集って生じる隙間穴に着目し、この隙間穴を利用して段積した残存型枠を２枚の挟持板と１本のネジ棒及び締付具とで接続固定でき、接続が簡単で作業性がよく、且つ安価に行える残存型枠の枠組における接続金具を提供することを目的とする。
【０００５】
本発明の他の目的は、既に設置した残存型枠の上端に２枚の挟持板を略下半分で仮挟持して取付けておいても、その２枚の挟持板の上半分は残存型枠の厚さよりも開いた状態となり、新たに段積する残存型枠が２枚の挟持板間に容易に差し込むことができ、更に締付けることにより挟持板全体が上下の残存型枠を強固な接続固定を可能とする残存型枠の枠組における接続金具を提供するにある。
【０００６】
【課題を解決するための手段】
上記の課題を解決するために本発明は成されたものであり、つまり、２枚の表用挟持板（１）及び裏用挟持板（２）と、前記表用挟持板（１）に対し、先端を下方に向け傾斜して取付けるネジ棒（３）と、該ネジ棒（３）と螺合可能なネジ穴（４ｂ）を有する締付具（４）とから成り、且つ前記裏用挟持板（２）には、その中央に逃げ穴（２ａ）を少なくとも穿設したものである。
【０００７】
前記表用挟持板（１）の中央に前記ネジ棒（３）と螺合可能なネジ穴（１ａ）を設け、且つ該ネジ穴（１ａ）は下方に向け傾斜させるのがよい。
【０００８】
前記表用挟持板（１）の下部に小突起（１ｂ）を、前記裏用挟持板（２）の下部に大突起（２ｂ）をそれぞれ形成するのがよい。
【０００９】
前記締付具（４）が、ナットにするとよい。
【００１０】
前記締付具（４）が、円盤であり、その中央部を湾曲に盛り上げて湾曲部（４ａ）に形成し、該湾曲部（４ａ）には、その中心にネジ穴（４ｂ）を設け、周面に穴部（４ｃ）を複数穿設するとよい。
【００１１】
【発明の実施の形態】
以下、本発明の実施形態を図を基に説明する。図１は本発明の実施形態の全体を示す全体断面図、図２は本発明の他の実施形態を示す全体断面図、図３は本発明の表用挟持板を示す斜視図、図４は本発明の表用挟持板の断面図、図５は本発明の裏用挟持板を示す斜視図、図６は本発明の締付具の斜視図、図７、図８は本発明の接続金具の使用状態を示す説明図、図９は残存型枠の説明図である。
【００１２】
図１〜図６において、（１）は金属製でプレート状の表用挟持板であり、その形状は四角形状が好ましいが、丸形あるいは多角形状でもよい。又、この表用挟持板（１）の中央に、後述するネジ棒（３）を取付けるためのネジ穴（１ａ）を設けている。このネジ穴（１ａ）は下方に向けて傾斜させたものであり、つまり前記ネジ穴（１ａ）に前記ネジ棒（３）の一端を螺合させた際にネジ棒（３）が先端（他端）を下方に向け傾斜して取付けられるように、前記ネジ穴（１ａ）を傾斜させている。このネジ穴（１ａ）の形成は、表用挟持板（１）の中央に穴を穿設し、そこにネジ穴（１ａ）が前記の如く傾斜させたナットを溶接で固着させたものであるが、表用挟持板（１）にプレスでバーリング加工した後に下方に傾斜するネジ山を形成しネジ穴（１ａ）としてもよい。又、表用挟持板（１）にネジ棒（３）を前記のように傾斜させて溶接で直接固着してもよく、この場合は前記ネジ穴（１ａ）が不要である。しかしながら、表用挟持板（１）にネジ棒（３）を直接溶接した場合には、商品として包装が嵩張るため、前記ネジ穴（１ａ）を有する方が好ましい。
【００１３】
更に表用挟持板（１）の他の実施形態としては、残存型枠（５）が貫通穴（５ａ）を形成している場合、図２〜図４に示すように、表用挟持板（１）下方に２個横並びさせた小突起（１ｂ）を形成させるとよい。この小突起（１ｂ）は残存型枠（５）の表側の小さな貫通穴（５ａ）側に挿入させるためのものであって、２個の小突起（１ｂ）の間隔も貫通穴（５ａ）の間隔に合せている。
【００１４】
（２）は金属製で四角形状の裏用挟持板であり、少なくともその中央に逃げ穴（２ａ）を穿設させている。該逃げ穴（２ａ）はネジ棒（３）に対する丸のバカ穴か上下に長い長穴とすればよい。又、裏用挟持板（２）の他の実施形態としては、図２、図５で示すように、裏用挟持板（２）のその中央に逃げ穴（２ａ）と下方に２個横並びの大突起（２ｂ）を形成させている。この大突起（２ｂ）は残存型枠（５）の裏側の大きな貫通穴（５ａ）側に挿入させるためのものであり、２個の大突起（２ｂ）の間隔も貫通穴（５ａ）の間隔に合せている。又、前記大突起（２ｂ）は、図５の如く穴の開いた略筒状に形成すると、打設する生コンクリートが大突起（２ｂ）の穴から残存型枠（５）の貫通穴（５ａ）内まで入り込み、貫通穴（５ａ）を塞ぐため、外部からの水の浸入を防止でき、裏用挟持板（２）の腐食を防止できる。
【００１５】
（３）はネジ棒であり、該ネジ棒（３）は前記表用挟持板（１）に対し、その略中央から先端を下方に向け傾斜して取付けられる。このネジ棒（３）を表用挟持板（１）に取付ける方法としては、前述したように直接表用挟持板（１）にネジ棒（３）の一端を溶接して固定するか、あるいは表用挟持板（１）に形成したネジ穴（１ａ）に螺合させて取付ける。このネジ棒（３）は表用挟持板（１）の裏側、つまり使用する際、残存型枠（５）と接する面側にネジ棒（３）を突出して取付けさせる。
【００１６】
（４）はネジ棒（３）と螺合する締付具である。この締付具（４）が図１及び図２で示したものはナットであるが、図６に示すように、締付具（４）が円盤であり、その中央部を湾曲に盛り上げて湾曲部（４ａ）に形成し、その湾曲部（４ａ）の中心にネジ穴（４ｂ）を設け、且つ湾曲部（４ａ）の周面に穴部（４ｃ）を複数穿設させたものである。又、前記ネジ穴（４ｂ）は、湾曲部（４ａ）の中心に穴を開け、そこにナットを溶接で固着しているが、この湾曲部（４ａ）の中心にバーリング加工を行いそれにネジ山を形成し前記ネジ穴（４ｂ）としてもよい。
【００１７】
次に本発明の接続金具を使用した残存型枠の接続方法を図７、図８を基に説明する。図７において、（５）は予め横列に設置固定させた残存型枠であり、該残存型枠（５）は、図９に示すように、コンクリート系の四角形状のプレート状で、多数の貫通穴（５ａ）を穿設させており、且つ四隅に面取り部（５ｂ）と周辺に切り欠溝部（５ｃ）を形成させているものである。又、前記貫通穴（５ａ）は裏側が大きい穴、表側が小さい穴としている。
【００１８】
そして、予め表用挟持板（１）のネジ穴（１ａ）にネジ棒（３）を螺合させ、残存型枠（５）の表側に表用挟持板（１）を配置すると共にネジ棒（３）を残存型枠（５）上部の面取り部（５ｂ）同士で作られたＶ溝上あるいは切り欠溝部（５ｃ）上に水平状態で載置させる。この状態ではネジ棒（３）を表用挟持板（１）に傾斜して取付けた関係上、表用挟持板（１）は上方に行くに従って残存型枠（５）の表面から離れて開いた状態にある。次いで、残存型枠（５）の裏側からネジ棒（３）に逃げ穴（２ａ）を挿通した裏用挟持板（２）を配置させ、更にネジ棒（３）に締付具（４）を螺合させ、その締付具（４）のナットを締付工具を使用して軽く締込んで行き、表用挟持板（１）と裏用挟持板（２）の下半分で残存型枠（５）を軽く挟持した仮挟持状態にする。この仮挟持状態では、表用挟持板（１）の上方が残存型枠（５）の表面より外側に開いた状態を保ち、表用挟持板（１）と裏用挟持板（２）の略上半分間は残存型枠（５）の厚さよりも開いた状態となる。
【００１９】
又、表用挟持板（１）と裏用挟持板（２）に各小突起（１ｂ）と大突起（２ｂ）を形成したものを使用する場合は、仮挟持までは前述した手順と同様な仮挟持であるが、仮挟持の状態では小突起（１ｂ）及び大突起（２ｂ）は残存型枠（５）の貫通穴（５ａ）に挿入される。この小突起（１ｂ）及び大突起（２ｂ）を形成した表用挟持板（１）と裏用挟持板（２）を使用する場合は、残存型枠（５）が貫通穴（５ａ）を形成したものに限られる。
【００２０】
そして図７（ｂ）で示すように、仮挟持させた上半分が開いた状態の両挟持板（１），（２）間に新たな残存型枠（５）を段積した後、更に締付具（４）を締付けて行くと、ネジ棒（３）あるいは表用挟持板（１）が変形し、両挟持板（１），（２）の開いた上半分が新たな残存型枠（５）を挟持し、両挟持板（１），（２）全体で上下の残存型枠（５）が強く接続固定されるのである。
【００２１】
図８は締付具（４）が、円盤のものを使用した実施形態を示したもので、図７と同様の手順であるから説明を省略するが、この場合に締付ける際に穴部（４ｃ）に長棒を挿入して締付けができ、作業が容易で、且つ強く確実に締付けることができる。
【００２２】
【発明の効果】
本発明は上記構成にしたことにより次の効果を有する。
【００２３】
表用挟持板（１）にネジ棒（３）が下方に向けて傾斜して取付けるため、予め設置固定された残存型枠（５）の上部に表用挟持板（１）と裏用挟持板（２）に下半分で前記残存型枠（５）を仮挟持した状態では、両挟持板（１），（２）の上半分は残存型枠（５）の厚さよりも広く開いた状態になり、両挟持板（１），（２）の上半分内に新たな残存型枠（５）が容易に挿入されるので極めて段積の作業性がよくなる。
【００２４】
又、残存型枠（５）に貫通穴（５ａ）を形成したものを接続固定する場合には、表用挟持板（１）と裏用挟持板（２）には小突起（１ｂ）と大突起（２ｂ）を形成したことにより、この両突起（１ｂ），（２ｂ）が残存型枠（５）の貫通穴（５ａ）内に挿入するため、締付具（４）で両挟持板（１），（２）を締付けて行くと、両挟持板（１），（２）は上下方向にずれる力が作用し上下にずれるが、両突起（１ｂ），（２ｂ）によって両挟持板（１），（２）は動きを規制され上下にずれることがない。これによって両挟持板（１），（２）が仮挟持状態では、両挟持板（１），（２）の上半分が残存型枠（５）の厚さよりも開いた状態に確保され、新たな残存型枠（５）の挿入が確実に行える。
【００２５】
更に、本発明は２枚の挟持板（１），（２）を１本のネジ棒（３）の使用で簡単に残存型枠（５）同士を接続固定でき、従来の４本のネジを使用したものに比べ作業性が極めてよい。
【図面の簡単な説明】
【図１】本発明の実施形態の全体を示す全体断面図である。
【図２】本発明の他の実施形態を示す全体断面図である。
【図３】本発明の表用挟持板を示す斜視図である。
【図４】本発明の表用挟持板の断面図である。
【図５】本発明で裏用挟持板を示す斜視図である。
【図６】本発明の締付具の斜視図である。
【図７】本発明の接続金具の使用状態を示す説明図である。
【図８】本発明の接続金具の他の実施形態による使用状態を示す説明図である。
【図９】従来の残存型枠の説明図である。
【符号の説明】
１　表用挟持板
１ａ　ネジ穴
１ｂ　小突起
２　裏用挟持板
２ａ　逃げ穴
２ｂ　大突起
３　ネジ棒
４　締付具
４ａ　湾曲部
４ｂ　ネジ穴
４ｃ　穴部
【図１】
2004011109.tif 000003
【図２】
2004011109.tif 000004
【図３】
2004011109.tif 000005
【図４】
2004011109.tif 000006
【図５】
2004011109.tif 000007
【図６】
2004011109.tif 000008
【図７】
2004011109.tif 000009
【図８】
2004011109.tif 000010
【図９】
2004011109.tif 000011